(57)【特許請求の範囲】
【請求項１】
移動局と移動通信ネットワークとの間で情報を転送するためのシステムであって、前記システムは、
前記移動局と、
前記移動通信ネットワークと、
前記移動局と前記移動通信ネットワークとをインターフェースするための通信ネットワークとを含み、
前記通信ネットワークは、前記移動局が前記通信ネットワークに結合される時に移動局エミュレータを含むように構成され、
前記エミュレータは、
前記移動局から呼出し転送情報を受信するための、そして前記移動局の前記通信ネットワークへの結合時に、前記移動通信ネットワークに対して前記通信ネットワーク上でそれを転送するための手段と、
前記移動局が前記通信ネットワークに結合された状態で、且つ、前記通信ネットワークのアクセスプロトコルに切り換わる間、前記呼出し転送情報を保持するための手段とを含むシステム。
【請求項２】
請求項１に記載のシステムにおいて、前記移動局エミュレータが前記通信ネットワークのインターワーキング・ユニットの中に確立されているシステム。
【請求項３】
請求項１に記載のシステムにおいて、前記通信ネットワークが前記移動局とインターフェースするためのインターフェース装置を含み、前記移動局エミュレータが前記インターフェース装置の中に確立されているシステム。
【請求項４】
請求項１に記載のシステムにおいて、ユーザ端末をさらに含み、前記移動通信ネットワークが前記ユーザ端末と通信するための手段を含むシステム。
【請求項５】
請求項１に記載のシステムにおいて、前記移動局（ＭＳ）と前記通信ネットワーク（ＩＰ）とをインターフェースするためのベース・トランシーバ局エミュレータ（ＢＴＳＥ）とを更に含み、
前記移動局（ＭＳ）は、前記移動局が前記ベース・トランシーバ局エミュレータ（ＢＴＳＥ）と通信を開始したことに対する応答として、前記移動局（ＭＳ）と前記移動通信システム（ＭＯＢ）との間の通信に関連している呼出しのステータス・データを、前記ベース・トランシーバ局エミュレータ（ＢＴＳＥ）に対して転送するように構成されていて、
前記ベース・トランシーバ局エミュレータ（ＢＴＳＥ）は、前記ベース・トランシーバ局エミュレータ（ＢＴＳＥ）との通信を終了するように進行している移動局に対する応答として、前記移動局と前記移動通信システムとの間の通信に関する呼出しステータス・データを前記移動局（ＭＳ）に対して転送するように構成されているシステム。
【請求項６】
請求項５に記載のシステムにおいて、前記ベース・トランシーバ局エミュレータ（ＢＴＳＥ）が、前記移動局（ＭＳ）の前記ベース・トランシーバ局エミュレータ（ＢＴＳＥ）に対するアクセスの開始に対する応答として、仮想端末（ｖＭＳ）を確立するように配列され、前記仮想端末は受信された移動局呼出しステータス・データを基に、前記移動通信ネットワーク（ＭＯＢ）に向けての前記移動局（ＭＳ）の動作をエミュレートし始めるようになっているシステム。
【請求項７】
請求項５に記載のシステムにおいて、前記ベース・トランシーバ局エミュレータがパーソナル・ベース・ユニット（ＰＢＵ）であり、前記移動局（ＭＳ）が、ローパワー無線周波数（ＬＰＲＦ）接続を通して前記ベース・トランシーバ局エミュレータ（ＢＴＳＥ）と通信するようになっているシステム。
【請求項８】
請求項５に記載のシステムにおいて、前記移動局（ＭＳ）が配線接続（９０、９１、９３）によってベース・トランシーバ局エミュレータ（ＢＴＳＥ；ＴＥ）に対して接続され、それはさらに前記移動局に対するクラドル（９０）、およびそれ以上のユーザ端末（ＵＴ）のローパワー無線周波数接続のためのローパワー無線周波数トランシーバ（９７）をさらに含むシステム。
【請求項９】
請求項５に記載のシステムにおいて、前記ユーザ端末（ＵＴ）が腕時計型のユーザ・インターフェースおよびオーディオ・ヘッドセットを含むシステム。
【請求項１０】
請求項１に記載のシステムにおいて、前記移動通信ネットワークは、
移動サービス交換センター（ＭＳＣ）と、
前記移動サービス交換センター（ＭＳＣ）に対して接続されている基地局システム（ＢＳＳ）と、
第１の通信接続を確立するためおよび前記第１の通信接続における指定されたシグナリング・プロトコル（ＧＳＭ）を使うことによって、無線通信を使って基地局システム（ＢＳＳ）を通して前記移動サービス交換センター（ＭＳＣ）と通信するように配列されている複数の移動局（ＭＳ）とを含み、
移動局（ＭＳ、２１９）が前記第１の通信接続の間に、前記移動サービス交換センターとその通信に関連している呼出しステータス・データを保持するように配列され、前記移動通信システムは、
データ送信ネットワーク（ＩＰ）を含み、その中でデータが指定されたデータ・ネットワーク・プロトコル・フォーマットで転送されるように配列されており、
前記移動サービス交換センターに対する前記データ送信ネットワークを通して実装されている第２の通信接続を確立するための前記データ送信ネットワーク（ＩＰ）に対する通信のための前記移動局（ＭＳ）を接続するための手段（ＡＰ、３３）と、
前記第１の通信接続と前記第２の通信接続との間で前記通信接続を切り換えるための手段（２１９）と、
前記第２の通信接続の間に前記移動局（ＭＳ）と前記移動サービス交換センター（ＭＳＣ）との間で前記移動局の呼出しを送信するための、前記移動サービス交換センター（ＭＳＣ）と、前記データ送信ネットワーク（ＩＰ）との間に接続されていて、そして前記第２の通信接続の間に前記移動サービス交換センターとの前記移動局の通信に関連している呼出しステータス・データを維持するように配列されているインターワーキング・ユニット（ＩＷＵ）とを含み、
前記移動局（ＭＳ）は前記インターワーキング・ユニットに対して前記呼出しステータス・データを転送するように配列されており、そして前記インターワーキング・ユニット（ＩＷＵ）は前記通信接続が前記第１の通信接続から前記第２の通信接続へ切り換わる時に、前記呼出しステータス・データを前記移動局から受信するように配列されていて、
前記インターワーキング・ユニット（ＩＷＵ）は前記移動局に対して前記呼出しステータス・データを転送するように配列され、そして前記移動局（ＭＳ）は前記通信接続が前記第２の通信接続から前記第１の通信接続へ切り換わる時に、前記呼出しステータス・データを前記インターワーキング・ユニットから受信するように配列されているシステム。
【請求項１１】
請求項１０に記載のシステムにおいて、前記インターワーキング・ユニットが、前記呼出しステータス・データの受信に対する応答として、移動局固有の仮想端末（３５）を確立するように適合されているシステム。
【請求項１２】
請求項１０に記載のシステムにおいて、前記データ送信ネットワークが、データ送信フォーマットとしてインターネット・プロトコルを使っているネットワーク。
【請求項１３】
請求項１０に記載のシステムにおいて、前記第１の通信接続と前記第２の通信接続との間の通信接続の前記切換えが前記呼出しの間に実行されるようになっているシステム。
【請求項１４】
請求項１０に記載のシステムにおいて、前記ＩＰ接続を確立した前記移動局とインターワーキング・ユニットとの間のデータ送信が、前記ＩＰによる通信の中に含まれている製造者固有のプロトコルを通して実施されるシステム。
【請求項１５】
請求項１０に記載のシステムにおいて、前記移動局が、前記ロケーションの更新を実行することによって前記移動通信ネットワークに対して切り換えるために、前記ＩＰネットワークから切り離されることに対する応答として適合されているシステム。
【請求項１６】
請求項１０に記載のシステムにおいて、前記移動局ステータス・データが少なくとも無線資源、移動性管理および呼出し管理（ＲＲ、ＭＭ、ＣＭ）の機能に関して前記移動局の動作状態についての情報を含むシステム。
【請求項１７】
移動局（ＭＳ）と移動通信ネットワーク（ＭＯＢ）とのインターフェースのための移動局エミュレータであって、
前記移動局（ＭＳ）から呼出し転送情報を受信するための、そして前記移動局の通信ネットワークへの結合時に、前記移動通信ネットワーク（ＭＯＢ）に対して前記通信ネットワーク（ＩＰ）上でそれを転送するための手段と、
前記移動局（ＭＳ）が前記通信ネットワークに結合された状態で、且つ、前記通信ネットワークのアクセスプロトコルに切り換わる間、前記呼出し転送情報を保持するための手段とを含む移動局エミュレータ。
【請求項１８】
請求項１７に記載の移動局エミュレータにおいて、
前記移動局が前記通信ネットワークから切り離される際に、前記移動局に対し前記呼出し転送情報を送信するための手段を更に含む移動局エミュレータ。  
【請求項１９】
請求項１７に記載の移動局エミュレータにおいて、
前記移動局の前記通信ネットワークへの結合時に、前記移動局から呼出しステータス・データを受信する手段と、
前記移動局が前記通信ネットワークに接続されている間、前記呼出しステータス・データを保持する手段とを含む移動局エミュレータ。
【請求項２０】
移動局であって、
移動通信ネットワーク（ＭＯＢ）に接続のため、移動局エミュレータ（ＩＷＵ；ｖＭＳ）とインターフェースする手段と、
前記移動局エミュレータへ保持のために呼出し転送情報を送信するための、そして前記移動局の前記通信ネットワークへの結合時に、前記移動通信ネットワークに対して前記通信ネットワーク（ＩＰ）上で前記情報を更に転送するための手段とを含む移動局。
【請求項２１】
請求項２０に記載の移動局において、
前記通信ネットワークから前記移動通信システムへ入るとき、前記移動局と前記移動通信システムとの通信に関する呼出しステータス・データを前記移動局エミュレータから受信する手段を更に含む移動局。
【請求項２２】
移動局（ＭＳ）と移動通信ネットワーク（ＭＯＢ）との間で情報を送信する方法であって、通信ネットワーク（ＩＰ）は、前記移動局と前記移動通信ネットワークとの間でインターフェースされ、
前記移動局（ＭＳ）から、前記通信ネットワーク（ＩＰ）により含まれる移動局エミュレータ（ＩＷＵ；ｖＭＳ）への通信接続を成立させるステップと、
呼出し転送情報を、前記移動局（ＭＳ）から前記移動局エミュレータ（ＩＷＵ；ｖＭＳ）へ送信し、前記移動局の前記通信ネットワークへの結合時に、前記移動通信ネットワーク（ＭＯＢ）に対して前記通信ネットワーク（ＩＰ）上で前記呼出し転送情報を転送するステップと、
前記移動局（ＭＳ）が、前記通信ネットワーク（ＩＰ）に接続状態にあるとき、前記呼出し転送情報を前記移動局エミュレータ（ＩＷＵ；ｖＭＳ）に保持するステップとを含む方法。
【請求項２３】
請求項２２に記載の方法において、
前記通信接続が、前記移動局と前記移動通信ネットワークとの間から前記移動局と前記通信ネットワークとの間に変わるとき、呼出しステータス・データを前記移動局から前記移動局エミュレータへ送信するステップを更に含む方法。
【請求項２４】
請求項２２に記載の方法において、
前記通信接続が、前記移動局と前記通信ネットワークとの間から前記移動局と前記移動通信ネットワークとの間に変わるとき、呼出しステータス・データを前記移動局エミュレータから前記移動局へ送信するステップを更に含む方法。
【発明の詳細な説明】
（技術分野）
本発明は、移動通信システムに係り、特に移動局と移動通信ネットワークとの間で情報を転送するためのシステムに関する。
【０００１】
（背景技術）
現代のオフィス作業においては、音声、ファクシミリ・メッセージ、電子メールおよび他のデータ（普通は、ディジタル形式での）を転送することができる多様な情報転送接続を従業員に提供する必要がある。情報の転送は従業員間の通信のため、他の町にある可能性があるか、あるいは他の国にある可能性のある企業の支店間での情報の転送のため、そしてそのオフィスと「外部世界」との間の通信のためにオフィスまたは対応している作業環境の内部で必要である。このテキストおよび後に続くテキストのすべてにおいて、「オフィス」は何人かのユーザがいる環境を表し、それらのユーザは「所属が同じ」であり、そしてそのオフィスは程よく制限された領域を物理的にカバーする。各種の形式の電気通信を１つのエンティティとして制御することができる統合化されたシステムに向かって電気通信が発展する傾向が続いている。
【０００２】
上記タイプのオフィス通信の従来の実現は電話サービスを提供するための企業の電話交換機および、ツイスト・ペア接続でその交換機に接続されている電話機および別のローカル・エリア・ネットワーク（ＬＡＮ）を含み、ＬＡＮには先進の電気通信サービスのためのアプリケーションが実装され、それらを実行するためのインテリジェンスが備わっている。ローカル・ネットワークは、電気通信サーバ（テレフォニー・サーバ）を使って電話交換機に接続され、そのサーバは従来の加入者サーバ・アーキテクチャをサポートし、その中で加入者はローカル・ネットワークに接続されている加入者のコンピュータである。たとえば、呼出し、データ、ファクシミリ、電子メール、および音声メールのサービスがその電気通信サーバを利用してオフィスの内部で接続されている。統合化されたシステムにおいては、ユーザはたとえば、ローカル・ネットワークに接続されているそれぞれのコンピュータ端末を使って電話サービスを制御することができる。統合化されたオフィス通信システム全体が電話交換機を通して公衆電話ネットワークに接続されている。
【０００３】
図１は、従来の既知のオフィス通信システムの一例を示しており、その中でユーザの電話機ＴＰ（ＴｅｌｅＰｈｏｎｅ）が配線接続によって接続されており、そしてローカル・エリア・ネットワーク（ＬＡＮ）が電気通信サーバＴＳ（Ｔｅｌｅ  Ｓｅｒｖｅｒ）上で構内交換機（ＰＢＸ）（Ｐｒｉｖａｔｅ  Ｂｒａｎｃｈ  Ｅｘｃｈａｎｇｅ）に接続されており、ＰＢＸは公衆電話ネットワークＰＳＴＮ／ＩＳＤＮ（ＰＳＴＮ、Ｐｕｂｌｉｃ  Ｓｗｉｔｃｈｅｄ  Ｔｅｌｅｐｈｏｎｅ  Ｎｅｔｗｏｒｋ、ＩＳＤＮ、Ｉｎｔｅｇｒａｔｅｄ  Ｓｅｒｖｉｃｅｓ  Ｄｉｇｉｔａｌ  Ｎｅｔｗｏｒｋ）に接続されている。ローカル・エリア・ネットワーク（ＬＡＮ）に対しては、一方ではデータベース・サーバＤＢＳ（Ｄａｔａ  Ｂａｓｅ  Ｓｅｒｖｅｒ）、音声サーバＶＳ（Ｖｏｉｃｅ  Ｓｅｒｖｅｒ）および電子メール・サーバＥＭＳ（Ｅｌｅｃｔｒｉｃａｌ  Ｍａｉｌ  Ｓｅｒｖｅｒ）などの各種のサービスを実行するサーバが接続されており、他方ではユーザのコンピュータＰＣ（Ｐｅｒｓｏｎａｌ  Ｃｏｍｐｕｔｅｒ）が接続されている。この種の実現について１つの問題としてみなされ得ることは、ユーザの電話機ＴＰとコンピュータＰＣが普通は互いに同じテーブル上に並んである場合でも、別々の配線接続がユーザの作業室まで、一方では構内交換機ＰＢＸから、そして他方ではＬＡＮの電気通信サーバＴＳから布設されなければならないことである。オーバラップしている２つの電気通信ネットワークの構築および保守には当然コストが掛かる。
【０００４】
オーバラップしている電気通信ネットワークの問題は、現在急速に普及している無線接続を利用した携帯型の移動局によって増えている。オフィス内で作業している人の多くは仕事が移動性であるので、移動局を必要とし、そして携帯型のファクシミリ装置および／または携帯型のコンピュータ／移動局の組合せを必要とすることも多い。やはり建物の内部で無線接続に基づいた装置を使えるようにするためには、建物は無線信号を減衰させる構造になっているので、無線ネットワークはオフィスごとに、あるいは部屋ごとに小型の基地局で補助され、その基地局は移動通信ネットワークの中央システムに対して直接に、あるいは有線の電話ネットワーク上でのいずれかで接続されているようになっている必要があることが推奨されている。小型の基地局のネットワークは同じオフィス内での既に第３のオーバラップしている電気通信ネットワークとなり、したがって、本発明が狙いとしている１つの好適な解決策においては、無線通信局をサポートしている装置も、そのオフィス内の情報の転送以外に同じ手段および電気通信ネットワークを使って実現される必要があることは明らかである。
【０００５】
電気通信システムに対するそれ自身の挑戦課題はＳＯＨＯ（Ｓｍａｌｌ  Ｏｆｆｉｃｅ、Ｈｏｍｅ  Ｏｆｆｉｃｅ）の概念によって記述される小規模オフィスまたは家庭の環境において仕事が益々行われている事実によって投げ掛けられる。この場合であっても、最新のオフィス・サービスがしばしば必要であり、そしてそれはオフィスおよび家庭の両方においても利用できるそのような柔軟性のあるシステムが利用できる場合に特に好ましい。移動通信サービス、従来の電話サービスおよび高速データ転送サービスのためのオーバラップしている接続を必要とする現在のシステムは、小型のオフィスまたは家庭のオフィスの中での仕事のためには非常に柔軟性に乏しい。上記の他に、統合型電気通信システムに関連付けられた次の種類の解決策が従来の技術から知られている。
【０００６】
従来の技法を利用して統合化されたオフィス通信システムが実現される場合、一方では構内交換機ＰＢＸ（図１）からの、そして他方ではローカル・エリア・ネットワーク（ＬＡＮ）の電気通信サーバＴＳからの別々の配線接続がユーザの仕事部屋まで布設されなければならない。異なる交換機およびサーバを通して加入者に連絡するために、いくつかの番号およびアドレスを使用しなければならない。各ユーザごとにアドレスの番号を管理することは加入者に連絡しようとしている人以外に、加入者自身に対しても物事を複雑にする。従来の技術による初期のアプリケーションにおいては、これらの問題に対する解決策は実際には試みられてきていない。
【０００７】
（発明の開示）
本発明の１つの態様によれば、移動局と移動通信ネットワークとの間で情報を転送するためのシステムが提供され、前記システムは、前記移動局と、前記移動通信ネットワークと、前記移動局と前記移動通信ネットワークとをインターフェースするための通信ネットワークとを含み、前記通信ネットワークは、前記移動局が結合される時に移動局のエミュレータを含むように配列されている。
【０００８】
移動局エミュレータは移動通信ネットワークにとっては１つの移動局のように見える。結果として、それによってユーザが自分の移動局を使って移動通信システムにアクセスする必要がなくなる。代わりに、たとえば、ユーザはヘッドセット付きの腕時計などの軽量の端末を使うことができる。また、端末または移動局を使うかどうかにかかわらず、この装置はその移動通信プロトコルのシグナリング（たとえば、ＧＳＭ）の代わりに、単純なシグナリング（Ｂｌｕｅｔｏｏｔｈなど）を使ってその通信システムと通信することができる。さらに、それによって、呼出し中であっても呼出し転送を行うことができる。
【０００９】
移動局エミュレータ（仮想移動局）は、その通信ネットワークのインターワーキング・ユニットの中に確立することができる。たとえば、それはＩＰネットワークと移動通信ネットワークとの間のネットワーク・オペレータの装置の一部分の中に提供することができる。代わりに、それはその加入者の装置の中に提供することができる。たとえば、それはパーソナル・ベース・ユニット（それ自身を、たとえば、ＰＣの中に組み込むことができる）の中で提供することができる。
【００１０】
移動局エミュレータを用意することによって、移動通信サービスを得るために移動局を使う必要がなくなる。代わりに、ユーザはヘッドセット付き腕時計またはヘッドセット付きＰＣなどの代わりの端末を備えることができる。
この態様によれば、移動局および移動通信ネットワークにインターフェースするための移動局エミュレータが提供されており、そのエミュレータは、
前記移動局から呼出し転送情報を受信するための、そして移動局の通信ネットワークへの結合時にその移動通信ネットワークに対して通信ネットワーク上でそれを転送するための手段と、
【００１１】
その移動局がその通信ネットワークに結合されたままになっている間、その呼出し転送情報を維持するための手段とを含む。
第２の態様によれば、移動局と移動通信ネットワーク（ＭＯＢ）との間で情報を転送するためのシステムが提供され、前記システムは、移動局と、前記移動通信ネットワークに対して結合されている通信ネットワークと、前記移動局と前記通信ネットワークをインターフェースするためのベース・トランシーバ局エミュレータとを含み、前記移動局は前記ベース・トランシーバ局エミュレータと通信を開始している前記移動局に対する応答として、前記移動局と前記移動通信システムとの間の通信に関連している呼出しステータス・データを前記ベース・トランシーバ局に対して転送するように配列されており、前記ベース・トランシーバ局エミュレータは、前記ベース・トランシーバ局エミュレータとの通信を終了するように進行している前記移動局に対する応答として、前記移動局と前記移動通信システムとの間の通信に関連している呼出しステータス・データを、前記移動局に対して転送するように配列されている。
【００１２】
第２の態様によれば、やはり移動局が提供され、前記移動局は、
少なくとも２つのモードで情報の転送を制御し、第１のモードは前記移動局と前記移動通信ネットワークの基地局サブシステムとの間で情報の転送に関連付けられ、第２のモードは前記移動局とベース・トランシーバ局エミュレータとの間の情報の転送に関連付けられている第１の転送手段と、
第１のモードから第２のモードへ入る時に、前記移動局と前記移動通信システムとの間の通信に関連している呼出しステータス・データを前記ベース・トランシーバ・エミュレータに対して転送するため、そして第１のモードから第２のモードに入る時に前記移動局と前記移動通信システムとの間の通信に関連している呼出しステータス・データを、前記ベース・トランシーバ局エミュレータから受信するための第２の転送手段とをさらに含む。
【００１３】
この第２の態様によれば、ベース・トランシーバ局をエミュレートするための装置がさらに提供され、前記装置は、前記通信ネットワークと通信するための第１のインターフェース・ユニットと、移動通信ネットワークの移動局に対するアクセスを提供するための第２のインターフェース・ユニットと、前記装置と通信を開始している移動局から前記ベース・トランシーバ・エミュレータに対して前記移動局と前記移動通信システムとの間の通信に関連している呼出しステータス・データを受信するため、そして前記デバイスとの通信を終了するように進行している前記移動局に対して、前記移動局と前記移動通信システムとの間の通信に関連している呼出しステータス・データを転送するためのトランシーバ手段とを含む。
【００１４】
本発明のこの第２の態様の一実施形態においては、システムは、加入者に対して移動電気通信サービスを提供するための移動通信ネットワークを含む。その移動通信ネットワークは移動局と通信ネットワークとをインターフェースするためのベース・トランシーバ局エミュレータ（ＢＴＳＥ）を含んでいる１つの通信ネットワークにリンクされている。その移動局がそのＢＴＳＥのカバレージ領域まで移動すると、それはその移動局の状態および進行中の呼出しに関連している動的なデータ（状態マシン）をＢＴＳＥに対して転送する。このデータに対する応答として、その移動局に対応していて、その移動通信ネットワークに向けての実際の移動局の機能をエミュレートしている仮想端末がＢＴＳＥの中に確立される。加入者が通常の移動通信操作に戻る時、ＢＴＳＥはその状態マシンをその移動局に対して転送し、仮想端末の動作を終了する。
【００１５】
仮想端末が確立された後、移動通信ネットワークからの情報は、その移動通信ネットワークおよびそのＢＴＳＥを通して仮想端末へ転送される。動作中に、その仮想端末は通常は実際の端末と基地局との間で交換される移動通信ネットワーク固有のシグナリングの少なくとも一部分を独立に管理することができる。これによって単純化されたモードであることが好ましい他のモードでの実際の移動局の使用、あるいは別のタイプの端末による移動端末の置き換えでさえも可能となる。そのような他の端末は、たとえば、無線ヘッドセットと腕時計型ユーザ・インターフェースとの組合せなどの軽量の無線端末装置によって実装することができる。また、そのような端末はその加入者のパーソナル・コンピュータ（ＰＣ）のユーザ・インターフェースに対して統合化されていてもよい。したがって、加入者はプライベートなイントラネットなどの通信ネットワークを利用して、通信ネットワークへのアクセスが利用可能な時は常にセルラー移動通信ネットワークのサービスを搬送する機会を持つこと、および自分の個人的ニーズおよびその時の状況に最も適した端末装置を選定するための自由度を有することになる。
【００１６】
ＢＴＳＥのカバレージ領域においては、加入者は通常は基地局サブシステムを通して、あるいはＢＴＳＥ経由でのＬＡＮを通してその移動通信ネットワークのサービスを利用することができる。動作モードが変化する時は常にＢＴＳＥと移動局との間で状態マシンが転送されるので、加入者は現在の動作モードを意識する必要さえなしに、移動通信モードとネットワーク・モードとの間で実際に移り変わることができる。進行中の呼出しに干渉する手動切換えは不要である。
【００１７】
本発明の第３の態様によれば、移動通信システムが提供され、移動サービス交換センターと、前記移動サービス交換センターに接続されている基地局システムと、第１の通信接続を確立し、前記第１の通信接続において指定されたシグナリング・プロトコルを使うことによって、無線通信を使って基地局システムを通して前記移動サービス交換センターと通信するように配列されている移動局とを含み、移動局は、前記第１の通信接続の間に、その前記移動サービス交換センターとの通信に関連している呼出しステータス・データを維持するように配列されていて、前記移動交換システムは、データが指定されたデータ・ネットワーク・プロトコルのフォーマットで転送されるように配列されているデータ送信ネットワークと、前記データ送信ネットワークを通して実装された第２の通信接続を確立するための前記データ送信ネットワークに対する通信のために、前記移動局を前記移動サービス交換センターに対して接続するための手段と、前記第１の通信接続と第２の通信接続との間で前記通信接続を切り換えるための手段と、前記第２の通信接続の間に前記移動局と前記移動サービス交換センターとの間で前記移動局の呼出しを送信するために、前記移動サービス交換センターと前記データ送信ネットワークとの間に接続されていて、前記第２の通信接続の間に、前記移動局の前記移動サービス交換センターとの通信に関連している呼出しステータス・データを維持するように配列されているインターワーキング・ユニットとを含み、前記移動局は、前記インターワーキング・ユニットに対して転送されるように配列されていて、前記インターワーキング・ユニットは、前記通信接続が前記第１の通信接続から前記第２の通信接続へ切り換わる時に、前記呼出しステータス・データを前記移動局から受信するように配列されており、前記インターワーキング・ユニットは前記移動局に対して転送するように配列され、前記移動局は、前記通信接続が前記第２の通信接続から前記第１の通信接続へ切り換わる時に、前記呼出しステータス・データを前記インターワーキング・ユニットから受信するように配列されている。
【００１８】
この第３の態様によれば、前記移動局と前記移動通信システムの前記移動サービス交換センターとの間の通信のルーティングのための方法も提供され、前記方法は、移動サービス交換センターと、前記移動サービス交換センターと、移動局に対して接続されている基地局システムとを含み、前記方法において、基地局システムを通して、無線通信を使って前記移動局と前記移動サービス交換センターとの間に第１の通信接続が確立され、前記通信接続は前記第１の通信接続の中で特定のシグナリング・プロトコルを使って通信のために使われ、前記移動サービス交換センターとの移動局の通信に関連している呼出しステータス・データが前記移動局の中に維持され、前記移動局はデータ送信ネットワークに対する通信のために接続され、データが前記データ送信ネットワークを通して行われる前記移動サービス交換センターに対して第２の通信接続を確立するために特定のデータ・ネットワーク・プロトコル・フォーマットで転送されるようになっており、前記第１の通信接続と前記第２の通信接続との間での通信接続の切換えが可能であり、インターワーキング・ユニットと通して前記移動サービス交換センターと前記データ送信ネットワークとの間で呼出しが送信され、前記第２の通信接続の間の前記移動局の前記移動サービス交換センターとの通信に関連している呼出しステータス・データが前記インターワーキング・ユニットの中に維持され、前記呼出しステータス・データは、前記通信接続が前記第１の通信接続から前記第２の通信接続へ変化する時に、前記移動局から前記インターワーキング・ユニットへ転送され、前記インターワーキング・ユニットによって前記移動局から受信され、前記呼出しステータス・データは、前記通信接続が前記第２の通信接続から前記第１の通信接続へ変化する時に、前記インターワーキング・ユニットから前記移動局に対して転送され、前記インターワーキング・ユニットから前記移動局によって受信される。
【００１９】
（発明の実施の形態）
添付の図面を参照しながら、本発明を以下に説明するが、これは単なる例示としてのものにすぎない。
本発明の実施形態がディジタル移動通信ネットワークＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）の用語および要素を使って説明される。本発明は、ＮＭＴ（Ｎｏｒｄｉｃ  Ｍｏｂｉｌｅ  Ｔｅｌｅｐｈｏｎｅ）、ＡＭＰＳ（Ａｄｖａｎｃｅｄ  Ｍｏｂｉｌｅ  Ｐｈｏｎｅ  Ｓｅｒｖｉｃｅ）、ＤＥＣＴ（Ｄｉｇｉｔａｌ  Ｅｕｒｏｐｅａｎ  Ｃｏｒｄｌｅｓｓ  Ｔｅｌｅｃｏｍｍｕｎｉｃａｔｉｏｎｓ）、ＤＣＳ１８００（Ｄｉｇｉｔａｌ  Ｃｅｌｌｕｌａｒ  Ｓｙｓｔｅｍ  ｆｏｒ  １８００  ＭＨｚ）などの機能的に等価な任意の移動通信ネットワークに関連して使えることが理解される。本発明に関してアクセス・ネットワークの選択は重要ではない。そのソリューションは、ＷＬＡＮ（Ｗｉｒｅｌｅｓｓ  Ｌｏｃａｌ  Ａｒｅａ  Ｎｅｔｗｏｒｋ）、イーサネット、ＡＴＭ（Ａｓｙｎｃｒｏｎｏｕｓ  Ｔｒａｎｓｆｅｒ  Ｍｏｄｅ）、ＷＡＴＭ（Ｗｉｒｅｌｅｓｓ  Ａｓｙｎｃｒｏｎｏｕｓ  Ｔｒａｎｓｆｅｒ  Ｍｏｄｅ）、ＨＩＰＥＲＬＡＮ、ＬＰＲＦ（Ｌｏｗ  Ｐｏｗｅｒ  ＲＦ）などの他の固定および無線のアクセス技法と関連して対応して適用することができる。
【００２０】
図２〜図８は、オペレータの装置の中に仮想移動局が確立されている第１の実施形態を示し、図９以降は仮想移動局がユーザの装置の中にある第２の実施形態を示している。
図２のブロック図は、ＧＳＭシステムの基本要素を示している。移動局ＭＳは無線通信を使って基地局ＢＴＳと接続されている。基地局ＢＴＳは、さらに、いわゆるＡｂｉｓインターフェースを通して、基地局コントローラＢＳＣに接続され、ＢＳＣはいくつかの基地局を管理する。いくつかの基地局ＢＳＴおよびそれを制御している単独の基地局コントローラＢＳＣによって形成されるエンティティは基地局システムＢＳＳと呼ばれる。特に、基地局コントローラＢＳＣは、ハンドオーバ以外に無線通信チャネルを管理する。他方、基地局コントローラＢＳＣは、いわゆるＡインターフェースを通して、移動サービス交換センター（ＭＳＣ）と接続され、ＭＳＣは移動局との間の接続の確立を調整する。移動サービス交換センターＭＳＣを通して、その移動通信ネットワークの下で動作していない加入者に対して接続をさらに確立することができる。
【００２１】
図３のブロック図は、ＧＳＭシステムによる移動局の送信および受信の機能をさらに詳しく示している。送信シーケンスの第１のフェーズは、アナログ音声ディジテーション２０１およびコーディング２０２である。サンプルがＡＤ変換器２０１によって８ｋＨｚの周波数で採取され、音声コーディングのアルゴリズムは１３ビットの線形ＰＣＭの信号が入って来ることを仮定する。ＡＤ変換器によって提供されるサンプルは１６０サンプルの音声フレームにセグメント化され、各音声フレームの持続時間は２０ｍｓである。音声コーダ２０２は、その２０ｍｓの音声フレームを処理する。言い換えれば、コーディングが開始される前に２０ｍｓの音声がバッファの中に取り込まれる。コーディング動作はフレーム固有の方法で実行されるか、あるいはそれぞれのサブフレームとして（４０サンプルのブロックとして）実行される。音声コーダ２０２のコーディングの結果として、１つのフレームが２６０ビットを発生する。
【００２２】
音声コーディング２０２の後、チャネル・コーディング２０３が２つのフェーズで実行され、その結果、先ず最初に、いくつかのビット（２６０ビットのうちの５０個の上位ビット）がブロック・コード２０３ａ（＝ＣＲＣの３ビット）によって保護され、そしてその次に、これらの上位ビットと次の上位ビット（１３２）がコンボルーション・コード２０３ｂによってさらに保護され（コーディング比１／２）（（５０＋３＋１３２＋４）＊２＝３７８）によってさらに保護され、そしていくつかのビットが保護されずに取られる（７８）。図３に示されているように、シグナリングおよび論理のメッセージは制御ユニット２１９から直接到来し、制御ユニット２１９がその移動局のブロックを制御し、ブロック符号化ブロック２０３ａへ入り、そして自然に、これらのデータ・メッセージに対しては音声コーディングは実行されない。対応して、受信時に受け取られたシグナリングおよび論理のメッセージはチャネル・デコーディング・ブロック２１５から取られて制御ユニット２１９へ入る。ブロック・コーディング２０３ａにおいては、１つのビット・シーケンスがそのフレームの終わりに連結され、その手段によって転送誤りを受信時に検出することができる。畳み込みコーディング２０３ｂにおいては、音声フレームの冗長度が増加される。したがって、合計４５６個のビットが１つの２０ｍｓフレーム当たりに送信される。
【００２３】
これらの４５６個のビットは２０４においてインターリーブされ、そのインターリービング２０４も２つのフェーズを有する。先ず最初に、フレーム・ビットの順序が２０４ａでミックスされ、そしてそのミックスされたビットが同じサイズの８個のブロックに分割される。これらのブロックはさらに２０４ｂにおいて８個の連続したＴＤＭＡフレームに分割され、その結果、その４５６個のインターリーブされたビットが８個のタイムスロット（各５７ビット）の中で無線の径路上で送信される。インターリービングの目的は、転送誤り（普通は、誤りバーストとして発生する）を送信されるデータ全体にわたって均等に拡散し、チャネルのデコーディングがさらに効果的になるようにすることである。デインターリービングの後、誤りバーストは別々の誤りビットの中に入り、それをチャネルのデコーディングにおいて補正することができる。送信シーケンスにおける次のフェーズはデータ暗号化２０５である。暗号化２０５はＧＳＭの最も緊密に保護される機密の１つであるアルゴリズムの手段によって実施される。暗号化の手段によって、アナログのネットワークにおいて可能である呼出しの許可されない聴取が防止される。
【００２４】
暗号化されたデータのうち、送信されるべきバーストは２０６において、トレーニング期間、テイル・ビットおよび保護期間をそれに加えることによって形成される。送信されるべきバーストはＧＭＳＫ変調器２０７へ入力され、変調器２０７はそのバーストを送信のために変調する。ＧＭＳＫ変調法（ガウスの最小シフト・キーイング）はディジタルの標準振幅変調法であり、その場合、情報は位相の変化の中に含まれる。送信機２２６は９００メガヘルツに対する１つまたはそれ以上の中間的なシーケンスを通して変調されたバーストをミックスし、アンテナを通してそれを無線インターフェースに対して送信する。送信機２２６は３つの無線周波数ブロック３０のうちの１つである。受信機２２８は送信機２２６の動作を逆転している受信側における第１のブロックである。第３のＲＦブロックはシンセサイザ２２７であり、それは周波数の形成を担当する。ＧＳＭシステムは周波数ホッピングを使用していて、ＴＤＭＡフレームごとに送信および受信の周波数が変化する。周波数ホッピングは接続の品質を改善するが、シンセサイザ２２７について厳格な条件を設定する。シンセサイザ２２７は１つの周波数から別の周波数へ非常に迅速に（ミリ秒以下の時間で）切り換えることができなければならない。
【００２５】
受信時には送信の動作が逆転される。ＲＦ受信機２８および復調器２１１の後、線形の検出が２１２において行われ、たとえば、受信されたサンプルのチャネル・イコライザによって行われ、その狙いは送信されたビット・シーケンスを見つけだすことである。検出の後、暗号解読２１３およびデインターリービング２１４が実行され、チャネル・デコーディング２１５がその検出されたビットに対して実施され、そして誤りのサムが巡回冗長チェック（ＣＲＣ）によってチェックされる。チャネル・デコーディング２１５においては、その狙いはバーストの転送に起因するビット誤りを補正することである。チャネル・デコーディング２１５に続く２６０ビットの長さの音声フレームは音声を記述している送信されたパラメータを含み、その手段によって、音声デコーダ２１６が音声信号のディジタル・サンプルを形成する。そのサンプルは２１７においてＤ／Ａ変換され、スピーカ３２によって再生される。この送信機／受信機においては、移動局を制御している主ユニットは制御ユニット２１９であり、それは上記ブロックを本質的に制御し、それらの機能を調整し、そしてタイミングを制御する。
【００２６】
図４のブロック図は、ＩＰアクセス・プロトコルを通じて移動通信ネットワークのサービスを使うための、本発明の一実施形態による装置を示している。インターワーキング・ユニット４０（ＩＷＵ）が移動通信システムの移動サービス交換センター３１に対して接続されており、その移動サービス交換センターに向けてのインターフェースは基地局コントローラＢＳＣの通常のインターフェース、すなわち、Ａインターフェースに対応し、ＩＰネットワークに対しては、それはＩＰネットワークとＩＰ端末との間の通常のインターフェースに対応する。ＩＷＵは本発明による新しいネットワーク要素であり、それは移動通信システムとＩＰネットワークの機能を相互リンクするために必要な手段を含む。要素ＡＰはＩＰネットワークの接続ポイントを表す。
【００２７】
インターワーキング・ユニット４０の構造が図５のブロック図の手段によって示されている。インターワーキング・ユニット４０は第１の機能ブロック４１を含み、それは移動サービス交換センターへ向けての移動通信システムの基地局コントローラをエミュレートするための手段を含む。また、ＩＷＵは第２の機能ブロック４２も含み、それはインターネットまたは、ＩＳＤＮ、ＡＭＴなどの対応している電気通信ネットワークに向けてのＩＰホストとして機能するための手段を含む。第１の機能ブロックと第２の機能ブロックとの間に第３の機能ブロック４３があり、それは１つまたはそれ以上の仮想端末を確立するための手段を含む。仮想端末の生成および動作については後でより詳しく説明する。
【００２８】
図４を参照すると、企業のローカル・エリア・ネットワークＬＡＮ  ３２がＩＰルータ３３を通して公衆ＩＰネットワークに接続されている。本発明による１つのシステムにおいては、移動局はアクセス・ネットワークに対して切り換えるための手段を含み、図４に示されているその移動局は、たとえば、ケーブル、赤外線接続または無線送受信機ペアを使って加入者のＬＡＮに対して結合されているパーソナル・コンピュータに対してその移動局を接続することによって、ＬＡＮ  ３２に結合されている。移動局がネットワーク・ポイントに対して結合されている方法は本発明に関して重要ではない。後で、移動局に十分なＩＰ機能を装備することができ、その場合は別の端末は不要である。図４に示されている例においては、移動局はローカル・エリア・ネットワークの固定のアクセス・ポイントに対して切り換える。そのアクセス・ポイントは、またいくつかの他のアクセス・ポイント、たとえば、後で示されるように、無線ローカル・エリア・ネットワークのアクセス・ポイントであってよい。
【００２９】
制御ユニットの手段によって、移動局は、たとえば、自分が無線アクセス・ネットワークの加入エリア内にいることに気付いた後、そのアクセス・ネットワークに対して切り換えることについての決定を行うことができる。その移動局が端末を通してネットワークに接続されている場合、その移動局はその切換えまたは非切換えを、たとえば、ＩｒＤＡ標準による装置に対して法定の多芯ケーブルの、あるいは情報アクセス・サービス（ＩＡＳ）の選択された芯線の指示信号の表示器３７Ｂから検出する。
【００３０】
ローカル・エリア・ネットワークへの切換えに関連して、移動局はその移動局および進行中の呼出しの状態に関連する動的データを、インターワーキング・ユニットに対してＩＰネットワークを通して転送する。この後、その移動局の従来の無線周波数部分がオフになり、その移動局はＩＰネットワークを通してインターワーキング・ユニット４０と通信するように切り換わる。図３を参照すると、前記装置は、たとえば、ブロック２３３、２０１、２０２、２１６、２１７、２１９および２３２が維持され、そしてそのブロックの他のものはオフにされ、その結果、その移動局は１３ＫｂｐｓのＧＳＭ仕様に従って符号化された音声を送信および受信する。ＧＳＭシステムの中で動作している時、移動局３４は基地局コントローラ上で移動サービス交換センター３１と信号をやり取りする。移動局３４がネットワーク・モードに切り換わると、それはそのシグナリングを継続しなくなり、シグナリングはその接続を維持するためにどこかで実行されるように変換される。したがって、インターワーキング・ユニット４０はプロトコル変換を実行するだけの要素ではなく、仮想端末を維持するための機能ユニット４３も含む。
【００３１】
ＩＰモードに切り換わると、移動局３４はその移動局および進行中の呼出しに関連している動的データをインターワーキング・ユニット４０の中で確立されることになる仮想端末ｖＭＳ  ３５に対して転送する。これらのデータは仮想端末の中に置かれている状態マシンの中で維持される。この場合においては、状態マシンはその移動局の機能およびそのプロトコルに従った関連のメッセージに関連している状態における許可された変化を記述する機能エンティティを意味する。状態マシンによって記述される機能部分は前記プロトコル層に関連している状態、瞬時状態、状態における変化に関連しているデータ構造などの可能な変化についてのデータを維持する。したがって、ＧＳＭに関連した状態マシンはその移動局の機能部分を意味し、それはその移動局のＧＳＭ層３のプロトコル（ヌル、現在スイッチ・オン、基地局へのスイッチなど）に関連した機能を制御する。さらに、最上位レベルのこの状態マシンはその移動局のすべての接続に対する部分的状態マシンを維持し、その結果、その接続の状態は、たとえば、ヌル、呼出し起動済み、呼出し進行中、アクティブなどであり得る。
【００３２】
図６に示されている概略ブロック図は仮想端末の確立に関連してその移動局の機能およびそのハイラルキーの分割の実装を示している。インターワーキング・ユニット４０はＧＳＭシステムの固定ネットワークを通して移動サービス交換センター３１に接続されており、その結果、移動サービス交換センター３１およびインターワーキング・ユニット４０のプロトコル・スタックのボトム層がＧＳＭシステムの固定ネットワーク５０のトランスポート・プロトコル３１５、４１１である。上記トランスポート・プロトコル４１１の他に、インターワーキング・ユニットのブロック４１は、ネットワーク・サブシステムをエミュレートするために必要な層４１２を含む。インターワーキング・ユニットのブロック４２はＩＰ通信に関連しているプロトコルＭＡＣ  ４２１、ＩＰ  ４２２およびＵＤＰ  ４２３を含む。対応しているプロトコル３４１、３４２、３４３が、ネットワーク・モードで動作している移動局３４のプロトコル・スタックの中にある。仮想端末４３のプロトコル・スタックは状態マシン４３１によって記述されるＧＳＭの機能エンティティを含み、それは少なくとも１つの無線資源（ＲＲ）と、移動性管理（ＭＭ）と、呼出し管理（ＣＭ）とを含む。これ以外に、インターワーキング・ユニットとネットワーク・モードで動作している移動局との間の通信に関連したプロトコル４３２（ＩＰ上でのＧＳＭ）がある。これについては後でさらに詳しく説明される。対応するプロトコル３４４がネットワーク・モードで動作している移動局の中に見られ、それも移動通信システムの基本サービス（音声、ショート・メッセージ、テレコピー）を処理するための必要なアプリケーションを含む。
【００３３】
通常、仮想端末３５の中で状態マシンを維持することはアプリケーション固有のソリューションである。というのは、仮想端末は移動通信システムと移動局３４の両方の方向における接続の状態についてのデータを維持しなければならないからである。仮想端末の中に維持されているステータス・データのベースで、仮想端末のシグナリングを移動通信ネットワークおよび移動局の両方の方向において制御することができる。仮想端末によって維持されている状態マシンのために、異なる方向において実装されるべきシグナリングはプロトコルとは無関係であること、言い換えれば、いずれの方向におけるプロトコルの変更も仮想端末の機能を中断しないことに注意する必要がある。
【００３４】
仮想端末の機能をイネーブルするために、移動局のステータス・データの他に、インターワーキング・ユニットは加入者アイデンティティ・モジュールの中に格納されているデータ：ＳＩＭカードを必要とする。ＳＩＭカードはインテリジェント・カードであり、ＧＳＭ標準によって定義される各種のデータおよび加入者によって提供される各種のデータを含んでいる情報フィールド以外に、加入者および端末の両方についての識別情報が格納されている。ＳＩＭカードのさらに詳しい説明については、上記Ｍｏｕｌｙ‐ＰａｕｔｅｔのＧＳＭガイドの６７〜７１、４４４〜４９２および５６１ページを参照されたい。本発明に関しては、ＳＩＭカードの中に含まれているデータの最も重要な部分をスタティック情報として保持することができ、その結果、対応している情報をインターワーキング・ユニットのメモリの中に格納して保持することができる。
【００３５】
インターワーキング・ユニットが状態マシンおよびＳＩＭカードの両方のデータを使う時、ＩＷＵ  ４０が仮想端末３５を始動させ、仮想端末３５は移動通信システムに向けての実際の移動局３４の機能をエミュレートする。それは維持しているステータス・データのベースでインターワーキング・ユニットの第１の機能ブロック４１を通して移動通信システムの信号を受信し、移動通信システムに向けてのシグナリングを実行する。それはインターワーキング・ユニットの第２の機能ブロック４２を通して実際の端末によって送信されるＩＰに従うデータを受信し、そのメッセージをそれが維持しているステータス・データに対して比較し、そのベースで、問題の時点において、移動通信システムによって送信されるための必要な信号を発生する。
【００３６】
図７に示されているフローチャートは移動通信システムから到着したメッセージのベースでの仮想端末の機能を示している。ポイント６１０において、仮想端末３５はインターワーキング・ユニットの第１の機能ブロック４１を通してメッセージを受信する。ポイント６１５において、仮想端末はチェックされたメッセージを自分が維持している状態マシンに対して比較し、そしてそのベースで、次の状態へ移り変わるために必要なメッセージを定義する。ポイント６２０において、仮想端末はネットワーク・モードで動作している移動局３４に対する接続が次の信号を発生するために必要であるかどうか、あるいはインターワーキング・ユニットの中に格納されている加入者情報の中に必要なデータが含まれているかどうかを定義する。移動局に対する接続が必要な場合、仮想端末は前記機能に関連しているメッセージを発生し（ポイント６３０）、そしてＩＰネットワークを通してそれを移動局３４に対して送信する（ポイント６３５）。同時に、仮想端末は問題のプロセスの状態をそれによって維持されているシグナリング状態へ更新する（ポイント６４０）。接続がない場合、移動局３４が必要であり、仮想端末はその必要な信号を自分自身で管理できると結論し、仮想端末はインターワーキング・ユニットの中に格納されているその加入者の情報がその応答のために必要であるかどうか、あるいは応答メッセージをステータス・データのベースで直接に発生することができるかどうかをチェックする（ポイント６２５）。追加の情報が必要な場合、仮想端末はそれをインターワーキング・ユニットのデータベースから呼び出し（ポイント６５０）、そしてそのベースで、移動通信システムに対して送信されるべきメッセージを発生する（ポイント６５５）。追加の情報が不要であった場合、仮想端末はステータス・データのベースで定義されている移動通信システムのプロトコルに従ってメッセージを発生する（ポイント６５５）。ポイント６６０において、仮想端末によって発生されたメッセージが、インターワーキング・ユニットの第１機能ブロック４１を通して移動サービス交換センターに対して送信される。同時に、仮想端末は問題のプロセスの状態を自分が維持している状態マシンにおいて更新する（ポイント６４０）。
【００３７】
インターワーキング・ユニットと移動局との間の接続を管理する１つの方法は、ＧＳＭのシグナリングをＩＰに従ってパケットに変換し、そのシグナリングをＧＳＭのフォーマットで移動局に対して転送する方法である。図３のベースで結論付けることができように、移動局と移動サービス交換センターとの間のシグナリングは無線資源の仕様に関連している大量のシグナリングを含み、その転送は本発明による装置においては不要である。したがって、ＩＰリンク上での接続はネットワーク動作の間に前記プロトコルを単純化することによって管理されることが好ましい。この種のプロトコルは、たとえば、ＵＤＰ／ＴＣＰプロトコル層上で、あるいはＩＴＵ‐Ｔによって標準化されたＨ．３２３プロトコル・ファミリによる方法を使うことによって転送される、ＡＴコマンドのグループを選択することによって確立することができる。接続を確立するために、製造者固有の単純なプロトコルを定義することもできる。
【００３８】
前記プロトコルの実装は、ネットワーク・モードで動作している移動局と、インターワーキング・ユニットとの間で互いに分離されている機能の一例を与えることによって示すことができる。これらは、たとえば、表１の第１カラムにリストされている機能１．１〜１．７を含む。表１の第２カラムはメッセージの機能的記述を含み、それらは本発明によるプロトコルの手段によって互いに分離されている。
【表１】
0004245803.tif 000002
【００３９】
加入者が移動通信ネットワークを通して呼出しを掛けたい時（１．１）、移動局は呼出しのための要求を行い、その呼出しの開始に関連するデータの転送の前に、インターワーキング・ユニットによって与えられるその呼出しの実行についてのメッセージを受信する。加入者が呼出しを受信すると（１．２）、移動局はインターワーキング・ユニットから入って来る呼出しのメッセージを受信し、その呼出しの開始に関連するデータの転送の前に、その呼出しの受信についてインターワーキング・ユニットに知らせる。その加入者または他のパーティのいずれかがその呼出しを切断したい時（１．３）、移動局はその呼出しを切断するための要求を与えるか、あるいは受信する。そのプロトコルのベースで、移動局およびインターワーキング・ユニットは、それが音声の転送（１．４）ショート・メッセージ（１．５）、あるいはテレコピーされたデータ（１．６）の問題であるかどうかを見分けることができなければならない。メッセージ１．７は進行中の呼出しに関するステータス・データを含み、それらは仮想端末が使用される時、あるいは仮想端末の使用が上記のようにターミネートされる時に転送される。上記コマンド・グループは実装の可能な１つの方法である。たとえば、呼出しの実行を、移動局が第１の音声パケットのベースで、分離された呼出しフェーズでさえも不要である場合の呼出しの問題であることを識別するように配列することができる。対応して、仮想移動局ユニットは移動局からの呼出しパケットの受信が停止した時、その呼出しを切断するように自動的に適合させることができる。単純なコマンド・グループによって、充分な機能を実装することができ、その手段によって、ネットワーク・モードで動作する移動局がＩＰネットワーク・接続を通して移動通信ネットワークのサービスを利用することができる。
【００４０】
上記概略装置は、本発明によるインターワーキング・ユニットおよびその中で確立される仮想端末の両方の機能および、ネットワーク・モードで動作している移動局に対するそれらの接続の機能を示す。図８に従って、ＩＰ端末として機能しているインターワーキング・ユニットを通して移動通信ネットワークの機能を利用するために上記装置に対して移動ＩＰを接続することによって、利用可能なアクセス機能とは独立に、インターネット接続が可能である場所で、それ自身の移動通信システムのサービスを利用する機会を加入者に提供するシステムを提示することができる。
【００４１】
移動ＩＰは現在標準化されつつあるプロトコルである。そのより詳しい説明については、Ｉｎｔｅｒｎｅｔ  Ｅｎｇｉｎｅｅｒｉｎｇ  Ｔａｓｋ  Ｆｏｒｃｅ（ＩＥＴＦ）  ｉｎｓｔｒｕｃｔｉｏｎｓ  Ｒｅｑｕｅｓｔ  Ｆｏｒ  Ｃｏｍｍｅｎｔｓ（ＲＦＣ）２００２を参照されたい。移動ＩＰは移動加入者のホーム・ネットワークに接続されるべきネットワーク要素のホーム・エージェント（ＨＡ）を記述する。加入者がホーム・ネットワークから離れて移動する時、ＨＡはその加入者のアドレスに関するデータを維持し、その移動加入者に対して割り当てられているデータ・パケットをその加入者がその特定の移動において登録されているアドレスに対して回送する。このお陰で、データ・パケットは、その転送のためにそれらの多くが失われることなしに、その加入者の新しいアドレスに対してそのデータ・パケットが回送される。ＩＰモードで動作する移動局とインターワーキング・ユニットとの間の接続を移動ＩＰのために維持することができ、その結果、そのインターワーキング・ユニットの内部で動作する仮想移動局が、同じホーム・ネットワークのホーム・エージェントを通してそれが動作する時、その移動通信ネットワークに対する同じセルの中に残っているように見える。
【００４２】
図８に示されているブロック図は上記の本発明による装置を示している。本発明による、インターワーキング・ユニットを含んでいる移動通信システムが、インターワーキング・ユニットを通して、ＩＰネットワークに接続されている。ＩＰネットワークのルータ７１０、７１１、７２１、７３１を通して到達される異なるアクセス・ネットワーク７１、７２および７３がＩＰアクセス・ポイント７１２、７２２、７３２によって移動通信システムの移動局を提供する。ＩＰネットワークは多数のＭＡＣレベルのアクセス・ネットワークから形成され、その多くが問題のアクセス・ネットワーク、たとえば（８０２．１１およびＷＡＴＭ）において加入者の移動性をサポートする。移動ＩＰによって、ＩＰアクセス・プロトコル間の、たとえば、２つの別々のＷＬＡＮ間またはイーサネットとＷＬＡＮとの間の移動性が可能となる。たとえば、ＧＳＭなどの移動通信システムによって、移動通信ネットワーク間で移動ＩＰ上での移動性が可能となる。したがって、本発明による装置は移動通信ネットワークとＩＰネットワークとの移動性をサポートする拡張された機能を発生し、そして加入者には極端に広いサービス領域内で柔軟性のある中断されない接続を好ましく維持するための機会が提供される。
【００４３】
図９は、本発明の一実施形態によるシステムのためのアーキテクチャを示している。このシステムは移動局ＭＳと、移動通信ネットワークＭＯＢ、たとえば、Ｐｕｂｌｉｃ  Ｌａｎｄ  Ｍｏｂｉｌｅ  Ｎｅｔｗｏｒｋ（ＰＬＭＮ）と通信ネットワークＩＰとを含み、すべてがインターワーキング・ユニットＩＷＵによって接続されている。ＩＷＵとＭＳとのインターフェースはベース・トランシーバ・エミュレータＢＴＳＥである。これらの要素が以下にさらに詳しく説明される。
移動局ＭＳはジェネリックな端末製品ポートフォリオであり、移動通信ネットワークのサービスをサポートするフル機能のセルラー電話から構成されている。通信ネットワークＩＰへのアクセスが利用できない時、ＭＳは図２で説明されているような通常の方法でＭＯＢを通して情報（音声やデータなど）を転送する。
【００４４】
図１０は、移動局ＭＳのモジュールを示しているブロック図である。中央処理ユニット４０１が移動局の異なる機能を担当するブロックを制御する。それらはメモリ（ＭＥＭ）４０２、無線周波数ブロック（ＲＦ）４０３、ユーザ・インターフェース（ＵＩ）４０４およびインターフェース・ユニット（ＩＵ）４０５である。マイクロプロセッサの動作命令、すなわち、プログラムおよび移動局の基本メニューが前もって、たとえば、製造プロセスの間に、メモリ４０２の中に格納されている。そのプログラムに従って、マイクロプロセッサは無線径路上でメッセージを送信および受信するためにＲＦブロック４０３を使用し、ＵＩ  ４０４によってユーザと通信する。インターフェース・ユニット４０５はデータ処理エンティティに対するリンクであり、それはＣＰＵ  ４０１によって制御される。データ処理エンティティは１つの統合化されたデータ・プロセッサまたは外部データ処理装置であってよい。
【００４５】
図１１は、本発明による移動局ＭＳの機能を示し、７つのＯＳＩ基準モデルの層１〜３で表されている。これらの層は２つの通信装置間のリンクを提供する目的のデータ通信プロトコルであり、この分野の技術に熟達した人には知られている。示されている層は物理層（層１）５１、データ・リンク層（層２）５２およびネットワーク層（層３）５３である。移動局ＭＳのネットワーク層５３は呼出し制御管理５３１（補助サービス５３２およびショート・メッセージ・サービス５３３を含んでいる）を提供する。また、この層は移動管理５３４および無線資源管理５３５も提供する。さらに、それはＭＵＸ  ５３６を含み、ＭＵＸ  ５３６は移動ＭＳがＩＷＵを通して通信ネットワークに接続されている時にデータ・リンク（ＦＢＵＳ  Ｃｔｒｌ  ５２３）および物理層（ＦＢＵＳ  ５２２）のサービスを要求するために層２の第２ブランチへ「スイッチ」する。いずれにしても、ネットワークは、移動局ＭＳが周囲のＧＳＭネットワーク（隣接しているＢＴＳ）に関するその測定を実行してレポートし、それによってＧＳＭの要求条件を満足することができるように、データ・リンク層５２（データ・リンク５２１および制御５２２）および第１ブランチの物理層５１のサービスを要求する。
【００４６】
たとえば、シリアル・ケーブル、任意のＲＦインターフェースまたは赤外線リンクによって、そしてＰＣに対する適切なソフトウェアによって、ＭＳは第２のブランチを通して、移動通信ネットワークおよびその通信ネットワークＩＰ内の他のテレフォニー・エンティティに対する接続をイネーブルする。通信システムのＩＰはいくつかの種類のうちの１つ、たとえば、データ通信ネットワーク、インターネット、イントラネット、ＬＡＮ、ＷＡＮ、ＡＴＭパケット・ネットワークなどであってよい。
【００４７】
以前に延べたように、ＩＷＵはシステム・エンティティ間のゲートウェイとして働く。ＩＷＵの１つの実施形態が図１２に示されており、それは無線インターネット・オフィス（ＷＩＯ）の概念を示している。ＷＩＯによって、ＭＳ  ６３の加入者はカバレージ領域内にある時、セルラー・ネットワーク６１のサービスを搬送するためのプライベート・イントラネットなどの通信ネットワーク６２を利用することができる。ＷＩＯにおいては、ＩＷＵは、イントラネット移動クラスタＧＳＭ／ＩＰゲートウェイ６０１、イントラネット・ロケーション・レジスタ（ＩＬＲ）６０２、ＷＩＯゲートキーパ６３およびＷＩＯのＡゲートウェイ６０４などのいくつかのネットワーク要素を含む。
【００４８】
データおよび／または音声などの情報を移動局６３から、それぞれＢＴＳエミュレータＢＴＳＥを含む２つのルートによってＩＰのローカル・エリア・ネットワーク６２に対して転送することができる。第１のモードにおいては、移動局６３はパーソナル・ベース・ユニット６４（ＰＢＵ）を経由してローカル・エリア・ネットワーク６２に接続されている。ＰＢＵそのものがＢＴＳエミュレータＢＴＳＥを含む。
【００４９】
第２のモードにおいては、移動局６３は移動クラスタの一部分を形成する。この場合、情報はそのクラスタに対して専用のＧＳＭ  ＢＴＳ  ６５、およびＩＭＣ  ＧＳＭ／ＩＰゲートウェイ６０１を経由して情報がローカル・エリア・ネットワークに対して送信される。ＢＴＳはその信号をＡ  ｂｉｓインターフェース上で送信し、ＩＭＣゲートウェイ６０１は、ＧＳＭからＨ．３２３へのプロトコル変換を実行し、その信号をＩＰローカル・エリア・ネットワーク上で送信できるようにする。（この図から分かるように、無線イントラネット・オフィス・アーキテクチャは、インターワーキング・ユニットの内部でのシグナリングおよびデータ接続に対してＨ．３２３プロトコルを使用する。）
【００５０】
セルラー・ネットワークに対する基本のアクセス・インターフェースは、エア・インターフェース、Ａインターフェース、ＭＡＰプロトコル、ＩＳＵＰ／ＴＵＰインターフェースおよびＤＳＳ．１インターフェースである。Ａインターフェースは移動サービス交換センターに対するインターフェースであり、ＭＡＰインターフェースはＨＬＲ／ＶＬＲに対するインターフェースである。ＩＳＵＰ／ＴＵＰインターフェースは交換センターを接続し、一方、ＤＳＳ．１インターフェースはＢＳＸと交換センターとの間に存在する。移動端末をネットワークに接続するエア・インターフェースは任意のＲＦインターフェースまたは赤外線リンクであってよい。ＲＦインターフェースの候補としては、たとえば、ローパワーＲＦ（ＬＰＲＦ）、８０２．１１、無線ＬＡＮ（ＷＬＡＮ）ＷＡＴＭおよびＨＩＰＥＲＬＡＮなどがある。また、エア・インターフェースは物理的接続（たとえば、ＲＳ‐２３２シリアル・ケーブルまたは汎用シリアル・バス（ＵＳＢ）など）で置き換えることもできる。ＧＳＭネットワークはこの新しいアクセス・ネットワークを１つのＢＳＳエンティティとして見る。セルラーのシグナリングを変更／逆変更するためにアクセス・ネットワークに対して新しいネットワーク・エンティティが追加される。システム設計の原理はＩＴＵ‐Ｔの勧告Ｈ．３２３を満足すること、およびそれを移動性の拡張で高度化することである。
【００５１】
ＷＩＯのＡゲートウエい６０４はＭＳＣ  ６１１に対する基地局コントローラのように見える。
一般的なＷＩＯネットワーク・アーキテクチャの一例が図１３に示されている。ローカル・エリア・ネットワーク７１がインターネット移動クラスタＩＭＣ  ７２、ＬＰＲＦセル７４および地上回線接続７５によって提供されている。ＩＭＣは複数の移動局、１つのＢＴＳ（プライベートＧＳＭのＢＴＳ）およびＩＭＣ  ＧＳＭ／ＩＰゲートウェイの形式でのサーバを含む。。ＢＴＳとＩＭＣ  ＧＳＭ／ＩＰゲートウェイとの間のＢＴＳインターフェースはＧＳＭ  Ａ‐ｂｉｓインターフェースである。ＩＭＣ  ＧＳＭ／ＩＰゲートウェイはＧＳＭとＨ．３２３プロトコルとの間のシグナリングの変換を担当する。ローパワーＲＦセル７４は１つのパーソナル・ベース・ユニットを含み、そのパーソナル・ベース・ユニットは仮想ＢＴＳおよびローパワー・トランシーバ、および対応しているローパワーＲＦトランシーバに関連付けられた移動局を備えている。ＰＢＵはＷＩＯネットワークに対して直接に接続されている。移動局にＧＳＭネットワークに対するアクセスを提供するために、ＰＢＵはＧＳＭとＨ．３２３プロトコルとの間の変換を提供する。これらの変換はセルラー電話とＨ．３２３フィーチャとの間のブリッジとして見ることができ、それはＷＩＯのロケーション管理および移動性フィーチャをサポートする。地上回線の接続はパーソナル・ベース・ユニット７５２に対して配線で接続されている地上回線端末７５１を含み、パーソナル・ベース・ユニット７５２はさらにローカル・エリア・ネットワークに対して配線で接続されている。
【００５２】
また、ローカル・エリア・ネットワークにはＷＩＯのゲートキーパ７６も接続されており、それはネットワークの内部および外部に対する移動局の接続を担当する。たとえば、それはサーバからＰＳＴＮなどの外部システムに対して呼出しを回送することができ、あるいはＩＰネットワーク８７に対する接続を提供することができる。そのローカル・エリア・ネットワークにはさらにＡイントラネット・ゲートウェイ７９１およびイントラネット・ロケーション・レジスタ７９２が備えられている。
【００５３】
この実施形態においては、イントラネット・ロケーション・レジスタの主な機能は無線イントラネット・オフィス・システムの中に構成された加入者の移動管理情報および呼出し統計情報を格納することである。ビジタのローミングは移動サービス交換センターによって制御される。ビジタに対しては一時的な情報だけがイントラネット・ロケーション・レジスタの中に格納される。ＩＬＲはセルラー・システムのネットワーク・ホーム・ロケーション・ネットワーク（ここには示されていない）に対するＭＡＰインターフェースを備えている。
【００５４】
この実施形態におけるＡイントラネット・ゲートウェイ７９１は、ＡインターフェースにおいてＩＰプロトコルとの間のプロトコル変換を行い、そしてセルラーとイントラネット・ロケーション・エリアとの関係付けを行う。それはイントラネットの移動クラスタの中の対応しているエージェントに対する管理サーバ・ゲートウェイとして動作する操作および管理のソフトウェア・エンティティを備えている。Ａイントラネット・ゲートウェイは公衆電気通信ネットワークとプライベート・イントラネット・ソリューションとの間のファイアウオールとして働く。
【００５５】
イントラネット移動クラスタはローカル環境におけるＢＳＣをシミュレートしている。それは物理的構造が縮小されている最小セットのＢＴＳ機能から構成されている。イントラネット移動クラスタはＢＴＳおよびＷｉｎｄｏｗｓ  ＮＴに対するＢＴＳドライバ・ソフトウェア・パッケージであり、それはレート適応、Ｏ＆Ｍエージェント・ソフトウェア・パッケージおよびＧＳＭ／ＩＰテレフォニー・ゲートウェイ・エンティティを含んでいる。イントラネット移動クラスタはＩＰネットワークに対する直接アクセスとしてデータ・サービスおよびファクシミリによるインターワーキングを提供し、その無線カバレージ内でローカル呼出しルーティング機能を提供することができる。
【００５６】
ＧＳＭ／ＩＰテレフォニー・ゲートウェイの目的はインターネットのテレフォニー・エンド・ポイントの特性をイントラネット移動局に対して、そしてその逆に、トランスペアレントに反映することである。ＧＳＭ／ＩＰテレフォニー・ゲートウェイはシグナリングおよび音声の適切なフォーマット変換、すなわち、ＧＳＭ  ０６．１０、０６．２０、０６．６０、Ｊ‐ＳＴＤ‐００７とＧ．７１１、Ｇ．７２３との間のオーディオ・フォーマット変換および通信手順の変換を提供する。ゲートウェイはインターネットのテレフォニー側と無線イントラネット・オフィス側の両方において呼出しのセットアップおよびクリアリングを実行する。
【００５７】
ＭＳ‐ＩＰ（ＷＩＯ）ゲートキーパ７６、６０３は移動性および呼出し管理サービス、およびある種の無線資源管理機能を提供する。
ＭＳ‐ＩＰゲートキーパは以下のサービスを提供する。
レジストレーション制御‐ＭＳ‐ＩＰゲートキーパはすべてのネットワーク・エンティティ、すなわち、イントラネット移動局、イントラネット移動クラスタ、Ａイントラネット・ゲートウェイ、ＩＰテレフォニー・ゲートウェイ、イントラネット・ロケーション・レジスタ、システムに対するアクセスを有するＨ．３２３端末を認証する。イントラネット移動局の場合、認証およびレジストレーションは、自動ゲートキーパ発見手順に基づいて行われる。他の場合においては、それは手動ゲートキーパ・レジストレーション手順に基づいて行われる。
【００５８】
接続の暗号化‐ゲートキーパの認証手順の一部分が接続暗号化サービスである。それはシステム内のゲートキーパおよび他のエンティティに対してキーの分配、識別および暗号化／復号化のサービスを提供する。サービスのオプションとして暗号化、ハッシング、キー分配およびシグネチャ・アルゴリズムを独立に選択することができる。キー分配は公開キー暗号化に基づいており、メッセージ暗号化は秘密キーの暗号化に基づいている。
【００５９】
アドレス変換‐ＭＳ‐ＩＰゲートキーパは、トランスポート・アドレスの関係付けおよび変換に対してＥ．１６４を実行する。これは、イントラネット・ロケーション・レジスタの中のディレクトリ・サービスを使って行われ、それは、移動性管理手順の間に、すなわち、ＴＭＳＩリアロケーション、認証、識別、ＩＭＳＩデタッチ、アボートおよびロケーション更新の間に更新される。
呼出し制御シグナリング‐ＭＳ‐ＩＰのゲートキーパは、セルラー・システム・ネットワークに対して、あるいはそのゲートキーパの内部のローカルな呼出し管理エンティティに対して呼出し制御シグナリングを回送するように構成することができる。
【００６０】
呼出し管理‐また、ＭＳ‐ＩＰのゲートキーパは、出て行く呼出しのリストも維持し、呼出しの統計情報を収集する。この情報はゲートキーパによってイントラネット・ロケーション・レジスタの中に格納され、たとえば、料金請求のために使うことができる。
セルラー手順‐ＭＳ‐ＩＰゲートキーパは、ＧＳＭ勧告０８．０８の中で規定されているシグナリングおよび資源管理の手順（ＢＳＳＭＡＰ資源）を扱うことができなければならない。
【００６１】
ステータス制御‐登録されたエンティティがオフになっているか、あるいはさもなければ故障モードに入っているかどうかを判定するために、ＭＳ‐ＩＰゲートキーパはある間隔でそのエンティティをポールするために問い合わせる。
この実施形態のＭＳ‐ＩＰゲートキーパ・エンティティは、ＧＳＭ  ０４．０８に従ってある種の移動性管理機能によって拡張された、たとえば、ＩＴＵＴのＨ．３２３ゲートキーパの使用を満足しているオペレーティング・システムに対するソフトウェア・パッケージであってよい。
【００６２】
パーソナル・ベース・ユニット（ＰＢＵ）７４に対する１つの好適な実施形態は、ＩＰネットワークに対する無線アクセスをイネーブルするソフトウェアを備えたデスクトップＰＣのためのＰＣカード・タイプの無線カードである。それはライセンスされていない無線スペクトルを活用している２．４ＧＨｚバンド‐デュアルモード・アクセスでのＬＰＲＦのコードレスおよび無線のＬＡＮを提供する。コードレスにおいては、「ライセンスされていない」モードの下側の層は新しいもので置き換えられるが、その上のシグナリングはセルラーのもののままである。また、それは異なる周波数帯域間、すなわち、後で説明されるようにセルラーとライセンスされていない帯域との間での端末のインテリジェント・ローミングを可能にする。
【００６３】
図９に戻って、ＢＴＳＥはＭＳとＩＷＵとの間のインターフェースの中の要素である。本発明のこの実施形態においては、ＢＴＳＥはＰＢＵである。ＰＢＵとＭＳとは無線周波（ＬＰＲＦが好ましい）または赤外線接続によって接続されている。また、それらは、たとえば、移動局クラドル（ｃｒａｄｌｅ）、デスク・スタンドまたはチャージャなどの接続デバイスを経由して独立に接続することもできる。
【００６４】
図１４は、本発明の一実施形態によるパーソナル・ベース・ユニットのアーキテクチャを示している。ＰＢＵは、物理層およびデータ・リンク層８１および８２（ＦＢＵＳ  ８１１およびＦＢＵＳ  Ｃｔｒｌ  ８２１）を実装している電話機ドライバを含む。ＰＢＵのネットワーク層８３は、ＧＳＭとＨ．３２３との間のプロトコル変換を提供するＰＢＵ制御／ＩＭＣコア制御８３２およびＨ．３２３プロトコル・エンティティ８３３を含む。その変換は音声が全体としてこのイントラネット・オフィス・ネットワーク内で符号化されたＧＳＭとして搬送されている間に、ＧＳＭ層３のシグナリング・メッセージのために必要である。ＰＢＵは、ＴＣＰ／ＩＰエンティティ８２１と、ローカル・エリア・ネットワークとインターフェースするための８２３に対するローカル・エリア・ネットワーク・アダプタ・ドライバとをさらに含む。ＰＢＵ制御８３２は移動局ＭＳのネットワーク層５３（図５参照）と通信するために仮想ＢＴＳ  ８３４、すなわち、基地局エミュレータＢＴＳＥを含む。
【００６５】
移動局ＭＳが無線イントラネット・オフィス環境の外側にある時、それは通常のＧＳＭ電話として動作する。ＭＵＸ  ５３６は、無線資源管理エンティティ５３３を第２ブランチ５２３、５１２と結合しない。音声およびシグナリングはセルラー・エア・インターフェースに対する第１の（ＧＳＭ）ブランチ上でデータ・リンク層５２および物理層５１を経由して送信される。また、移動局ＭＳが無線イントラネット・オフィス内にあるが、イントラネット移動クラスタの一部分を形成している場合、この同じ径路が、セルラー・エア・インターフェースに対して取られ、情報およびシグナリングがそのクラスタのＧＳＭ  ＢＴＳに対して送信される。しかし、移動局ＭＳがＰＢＵ（たとえば、ＲＦ  ２３２シリアル・ケーブルまたはＲＦインターフェースによって）接続されている時、音声、データ、ファックス、ＳＭＳなどの情報がローカル・エリア・ネットワーク上で送信される。
【００６６】
図１５は、ＰＢＵを組み込んでいる端末装置ＴＥに対して本発明による移動局ＭＳ接続する方法を示している。この実施形態においては、その接続は接続装置１００の手段によって実行される。以前に説明されたどの接続方法も同様に使えることを理解されたい。この例における接続装置９０は、デスクトップ・スタンドまたはデスクトップ・チャージャなどのクラドルであってよい。ここでは、例を示す方法によって、その接続装置はインテリジェント・チャージャ９０と呼ばれるチャージャの手段によって記述される。インテリジェント・チャージャ９０は物理的な導線９１およびインターフェース・ユニット９２を備えた端末装置ＴＥに対して解放可能なように接続されている。同じインターフェース・ユニット９２および導線９３を使って、インテリジェント・チャージャ９０は、移動局ＭＳがインテリジェント・チャージャ９０に対してインストールされている時、移動局ＭＳに対しても解放可能なように接続されている。導線９１および９３は、インテリジェント・チャージャ９０経由での端末装置ＴＥと移動局ＭＳとの間の通信のためのバスを形成する。導線９１および９３によって示されている接続は、他の方法で、たとえば、赤外線接続によって、あるいは電気的コネクタによっても同様に実装することができ、あるいは接続装置９０を端末装置ＴＥの中に統合化することもできる。端末装置ＴＥは、たとえば、オフィス環境またはワークステーションから知られている従来のＰＣであってよく、それは特にプロセッサ９５、メモリ９６および端末装置ＴＥをローカル・エリア・ネットワーク（ＬＡＮ）に接続するためのネットワーク・インターフェース・ユニット９７（ＮＩ、Ｎｅｔｏｗｏｒｋ  Ｉｎｔｅｒｆａｃｅ）を含む。
【００６７】
プロセッサ９５は、移動局ＭＳに対する接続を確立するための、そして接続が確立された後での端末装置ＴＥの中の制御を扱う。そのような制御動作はプロセッサによって実行されるアプリケーション・ソフトウェア９８として実装することができる。また、インテリジェント・チャージャ９０のインターフェース９２は、導線１００を経由して移動局ＭＳのバッテリ４１３に対して電源ＰＷＲから充電電圧を供給するための手段も含む。接続装置９０が自分自身の電源を備えていない場合、それは端末装置ＴＥから電力を獲得し、それを移動局に対して転送することができる。
【００６８】
移動局ＭＳが、たとえば、相互接続用ケーブルまたは赤外線、または任意のＲＦ接続を使って、本発明の特徴である１つの方法で端末装置ＴＥに対して接続されると、ＭＳは異なるモードで動作する。２つのモードの間での切換えは端末装置ＴＥおよび移動局ＭＳの両方によって検出され、そして使用される切換え方法に依存して、切換えを多くの方法で検出することができる。たとえば、多芯相互接続ケーブルが使われる時、その芯線の１つを表示信号のために割り当てることができる。たとえば、端末装置ＴＥにおいて前記表示信号が動作電源（たとえば、＋５Ｖ）に接続されている場合、移動局ＭＳはたとえば、レベル検出器を使ってその表示信号の電圧レベルを監視することによって移動局ＭＳの切換わりを検出する。レベル検出器はシステムを制御しているプロセッサ４０１に対してその情報を転送し、それによって制御されて移動局ＭＳおよび端末装置ＴＥは配線による情報転送接続を使うように切り換わる。それに対応する方法で、端末装置ＴＥは同じタイプの指示信号を監視することによって、移動局ＭＳに対する接続を検出することができ、その信号のレベルを端末装置ＴＥの中にインストールされているプログラムがある種のあらかじめ定められた期間ごとにインターフェース・ユニット９９の中でポールする。プロセッサ９５およびメモリ９６において実行される前記コンピュータ・プログラムは、バックグラウンドで実行できるので、それは端末装置ＴＥの他の動作には本質的には影響しない。移動局ＭＳと端末装置ＴＥとの間のケーブルが切り離された時、端末装置ＴＥのプロセッサは移動局ＭＳのインターフェース・ユニット９９およびプロセッサ４０１からの切離しを、その検出器を使ってインターフェース・ユニット４１１から検出する。その接続は端末装置ＴＥのユーザ・インターフェースから、あるいは移動局ＭＳのユーザ・インターフェースから手動でオフに切り換えることもできる。
【００６９】
移動局ＭＳと端末装置ＴＥとの間の接続が、無線接続を使って実現されている場合、その接続を検出するための多くの方法がある。共通のＩｒＤＡ（赤外線データ・アソシエーション）プロトコルが使われている時、接続は、たとえば、検出器を使って、ＩｒＤＡ標準に従って装置のために必須であるＩＡＳ（情報アクセス・サービス）サービスに基づいて検出される。ＩＡＳサービスは１つの装置（このアプリケーションにおいては、移動局ＭＳ）とサーバ（このアプリケーションにおいては端末装置ＴＥ）との間のハンドシェイク動作を意味する。その動作において、装置は利用できるサービスに関してサーバに尋ねることができる。ハンドシェイクにおいて転送される最も重要な情報はＬＳＡＰ  ＩＤ（リンク・サービス・アクセス・ポイント）であり、それは必要なサービスが利用できる接続ポイントを定義する。コンタクトの確立に成功するために必要なものはこの情報である。赤外線接続が使われている時、接続の切離しは赤外線トランシーバを使って検出される。接続が無線周波数で動作するローパワー・トランシーバ・ユニットを使って確立されている場合、その接続の確立および切離しは同じタイプの原理に従って行われる。
【００７０】
移動局端末ＭＳと端末装置ＴＥとの間の接続が、インテリジェント・チャージャ９０を使って確立されている場合、端末装置ＴＥのプロセッサ９５（アプリケーション・ソフトウェア９８を実行している）がその接続の確立を監視している。プロセッサ９５は移動局ＭＳがインテリジェント・チャージャ９０に対してインストールされているかどうかを定期的にチェックする。代わりに、接続の確立の検出は、移動局ＭＳによって行うことができる。両方の場合において、これは別の接続装置９０のない実施形態に関して、たとえば上で説明されたようなコネクタのピンの電圧を監視することによって、簡単に行うことができる。接続が確立された後、移動局ＭＳは情報メッセージを端末装置ＴＥに対して送信し、その中で移動局ＭＳはその接続に関する情報をインテリジェント・チャージャ９０に対して知らせる。端末装置ＴＥはこのメッセージの受信をアクノレッジすることができる。
【００７１】
これらのケースにおいて、ＭＵＸ  ５３６は第２の（ＬＡＮ）ブランチ層１および２のサービスを要求し、そして移動局ＭＳの層３がＰＢＵのＢＴＳエミュレータＢＴＳＥ  ８３４と通信すると見られる。すなわち、情報（たとえば、音声）およびＧＳＭ層３のシグナリング・メッセージが第２のブランチ・インターフェースに対してリダイレクトされる。移動局ＭＳとＰＢＵがリンクされると、ＢＴＳＥ  ９１４のフィールド強度がＧＳＭネットワーク内の他のＢＴＳの強度より大きくなる。結果として、ハンドオーバがＢＴＳＥ  ８３４に対して行われる。この後、このＢＴＳＥ  ８３４に関連しているハンドオーバのシグナリングが第２のブランチを通してＭＵＸから処理される。ハンドオーバが行われると、ＭＵＸはすべてのメッセージを処理し、それらをＲＳ‐２３２インターフェースなどを通してその新しいホスト・セルに対して転送し、第１のブランチ上で他のＢＴＳに対して「トークする」（ＧＳＭにおいて普通であるように）。たとえば、層１および２からＭＵＸへ、そこから移動局／ＰＢＵインターフェースを通してＢＴＳＥ  ８３４への一般的なブロードキャスト・トラヒックも移動局ＭＳによって見られる。
【００７２】
ＩＭＣコアの中のＢＴＳＥ  ８３４の中のパラメータは、端末がこの仮想ＧＳＭセルに対して強制的にクランプされたままになるように設定される。これによってその移動局が聞く可能性のある他のＧＳＭセルに対するハンドオーバを回避することができる。
ＭＵＸの動作は、次のように説明することもできる。移動局がネットワーク・モードに代わると、ＭＵＸは接続されていない他のＢＴＳに対して行うのと同様な方法でその新しいＢＴＳと通信する。このフェーズにおいては、移動局はこの新しいインターフェースに関連している新しいＢＴＳのフィールド強度が他のＢＴＳのフィールド強度より強力であることを知り、したがって、このＢＴＳへハンドオーバする。そのハンドオーバの後、新しいＢＴＳに関連しているシグナリングが新しいインターフェースを通してＭＵＸによって処理され、他のＢＴＳとのＧＳＭ無線リンク上で「トーク」する。一般的なブロードキャスト・トラヒックも、たとえば、ＭＵＸの下位段から新しい移動局に対して送られ、そしてそこから、その新しいインターフェースを通して仮想ＢＴＳに対して送られる。
【００７３】
前に説明されたように、移動局ＭＳが新しいモードへ移り変わる時、たとえば、すべてのＲＲ固有のシグナリングを実行する必要がなくなり、そしてその接続を維持するためのシグナリングはどこかで実行することができる。これを扱うために、ＩＰモードへ切り換わる時、移動局はその移動局および進行中の呼出しの状態に関連している動的データを、ＰＢＵの中で確立されている仮想端末ｖＭＳに対して転送する。
このデータはその仮想端末の中に置かれている状態マシンの中で維持される。この場合、状態マシンはそのプロトコルに従う移動局の機能および関連付けられたメッセージに関連している状態における許された変化を記述する機能エンティティを意味する。状態マシンによって記述される機能は前記プロトコル層に関連している状態、瞬時状態、その状態における変化に関連しているデータ構造などについてのデータを維持する。したがって、ＧＳＭに関連している状態マシンは、その移動局のＧＳＭ層の３つのプロトコル（ヌル、現在スイッチ・オン、基地局へのスイッチなど）に対して機能的に関連付けられた移動局の機能を意味する。さらに、高位のレベルにおける前記状態マシンは移動局のすべての接続に対する部分的状態マシンを維持し、その場合、その接続の状態は、たとえば、ヌル、呼出し起動済み、呼出し進行中、アクティブなどである可能性がある。
【００７４】
図１６に示されているＰＢＵの中の仮想端末ｖＭＳのプロトコル・スタックは、状態マシン１０５によって機能的に記述されるＧＳＭを含み、それは少なくとも１つの無線資源（ＲＲ）、移動管理（ＭＭ）および呼出し管理（ＣＭ）、すなわち、図１１のプロトコル層３（５３参照）に関連付けられた機能を含む。この上に、ＰＢＵとネットワーク・モードで動作している移動局との間の通信に関連している追加のプロトコル１０６がある。これについては後で詳しく説明される。
ＰＢＵが状態マシンのデータを使用している時、ＰＢＵは仮想端末ｖＭＳを始動し、ｖＭＳは移動通信システムに向けての実際の移動局ＭＳの機能をエミュレートする。それは移動通信ネットワークから信号を受信し、そしてそれが維持しているステータス・データのベースで、移動通信システムに向けてのシグナリングを、独立に、あるいはネットワーク・モードでの移動局からそれが要求する情報に従うかのいずれかで実行する。ネットワーク・モード時の状態マシンは仮想端末によって維持されているので、異なる方向において実施されるべきシグナリングは独立であり、それはいずれの方向におけるプロトコルの変化も仮想端末の機能を中断しないことを意味する。
【００７５】
仮想端末は図７のフローチャートに示されているように機能することができる。
セットアップしたＩＰに対する接続および仮想端末が確立されると、ネットワーク・モードでの移動局の使用は、元の使用とは非常に異なっている。１つの良い解決策は動作モードに従ってその動作を調整することができるマルチモードの端末装置である。もう１つの好適なソリューションは、別の端末装置に対する情報のルーティングを容易化することによって、ネットワーク・モードで動作するために必要なより単純な構成を使用することであり、それはその加入者の現在の状態に対処するのにより適している。１つの好適なオプションは以前に説明されたような単純化されたコマンドによって、外部ユーザ端末（ＵＴ）１０３との間で情報を送受信するためのＰＢＵ（図１１参照）の中に現代水準のローパワー無線周波数トランシーバ１０２を組み込むことである。そのようなユーザ端末はユーザの現在のニーズにマッチするように選定することができ、そして、たとえば、図１７に示されているような仮想端末の無線ヘッドセットと、腕時計型ユーザ・インターフェースとの組合せから構成することができる。
【００７６】
図１７において、移動通信ネットワークＭＯＢのサービスが端末装置としてのＰＣによってアクセスされる通信ネットワークＩＰを通して利用される。前記端末装置はＰＢＵとして動作しており、したがって、組み込まれたＬＰＲＦサーバを備えている。ユーザはＬＰＲＦリモート・オーディオ・プロトコルを使ってエア・インターフェース上で接続されている無線ヘッドセットＷＨ、およびＬＰＲＦリモート・ユーザ・インターフェース・プロトコルを使っている腕時計型のユーザ・インターフェースＷＵＩを備えている。ユーザが自分の従来の移動局ハンドセットを身に付けて入って来ると、その電話機はＬＰＲＦのＬＡＮアクセスが利用できることを示す。その加入者がそのように希望する時、加入者はそのハンドセットを前に説明されたようなインテリジェント・チャージャにプラグインし、単に腕時計型ＵＩおよび無線ハンドセットだけを使って「ハンドセットなしの動作」をイネーブルすることができる。そのような動作においては、従来の端末は非アクティブであり、仮想端末が移動通信ネットワークに向けての移動局として働く。軽量端末と仮想端末との間のトラヒックは、以前に説明されたような特殊なプロトコルを使って、ＬＰＲＦ接続を通して実行される。オフィスにいる間、加入者はＬＰＲＦのカバレージ領域の中を徘徊することができ、そしてハンドセットなしでＧＳＭのサービスを使うことができる。オフィスを立ち去る時、加入者は自分のハンドセットを携行するだけで通常のセルラー動作に入ることができ、そして進行中の呼出しを継続することさえもできる。したがって、本発明はハンドセットを携行しているオフィスの外側にいる同じ移動加入者として識別されるユーザについてオフィス環境における通信装置を完全に着用することができる。電話番号、ユーザのセッティング、個人的なフィーチャなどは両方の動作モードにおいてそのまま同じである。
【００７７】
本発明の実装および実施形態が例題の助けを借りて示されてきた。この分野の技術に熟達した人にとっては、本発明は上記実施形態の詳細に限定されるものではないこと、そして本発明は本発明の特性から逸脱することなしに他の形式においても実施できることは明らかである。上記実施形態は限定されるものではなく、例を示すものとしてみなされるべきである。したがって、本発明の実装および使用についての可能性は添付の特許請求の範囲によってのみ制限される。結果として、等価な実装を含めて、特許請求の範囲によって決定されるような本発明の実装についての各種のオプションも、本発明の範囲に属する。
【図面の簡単な説明】
【図１】  従来の技術の既知のオフィス通信システムの一例を示す。
【図２】  ＧＳＭシステムの基本要素を示しているブロック図である。
【図３】  ＧＳＭ移動局の送信および受信の機能をより詳細に示しているブロック図である。
【図４】  本発明による１つのシステムを示しているブロック図である。
【図５】  インターワーキング・ユニットの構造を示しているブロック図である。
【図６】  仮想端末の実装に関連して移動局の機能を示しているブロック図である。
【図７】  移動通信システムから到達したメッセージのベースで仮想端末の動作を表しているフローチャートである。
【図８】  本発明の一実施形態によるシステム・アーキテクチャを示しているブロック図である。
【図９】  本発明の一実施形態による通信システムの基本要素を示す。
【図１０】  移動局のモジュールを示す。
【図１１】  移動局ＭＳのプロトコル・スタックを示す。
【図１２】  無線インターネット・オフィス（ＷＩＯ）の概念を示す。
【図１３】  一般的なＷＩＯネットワーク・アーキテクチャの一例を示す。
【図１４】  本発明の一実施形態によるパーソナル・ベース・ユニットのアーキテクチャを示す。
【図１５】  パーソナル・ベース・ユニット（ＰＢＵ）を組み込んでいる端末装置ＴＥに対して本発明による移動局ＭＳを接続する方法を示す。
【図１６】  ＰＢＵの中の仮想端末ｖＭＳのプロトコル・スタックを示す。
【図１７】  本発明の１つの好適な実施形態の構成を示す。
【図１】
0004245803.tif 000003
【図２】
0004245803.tif 000004
【図３】
0004245803.tif 000005
【図４】
0004245803.tif 000006
【図５】
0004245803.tif 000007
【図６】
0004245803.tif 000008
【図７】
0004245803.tif 000009
【図８】
0004245803.tif 000010
【図９】
0004245803.tif 000011
【図１０】
0004245803.tif 000012
【図１１】
0004245803.tif 000013
【図１２】
0004245803.tif 000014
【図１３】
0004245803.tif 000015
【図１４】
0004245803.tif 000016
【図１５】
0004245803.tif 000017
【図１６】
0004245803.tif 000018
【図１７】
0004245803.tif 000019